(57)【特許請求の範囲】
【請求項１】
遮断器を開閉操作するとともに、相対向して配置された可動鉄心と固定鉄心および電磁力に応じて前記可動鉄心と固定鉄心を離間または接触させる電磁コイルを有し、前記遮断器内に配置された真空バルブと同軸上に配置された電磁石機構と、前記電磁石機構の軸心方向に移動可能に配置されるとともに前記可動鉄心に連結され、一方側が前記遮断器に連結され他方側が前記電磁石機構の開放側端板を貫通して前記電磁石機構の開放側端板外方に伸長する操作ロッドと、前記電磁石機構の前記開放側端板に配置され、前記操作ロッドの移動に連動して前記遮断器の状態を表示する表示部とを備えたことを特徴とする電磁操作装置。
【請求項２】
前記表示部は、前記遮断器の入切状態を表示する入切表示器と、前記遮断器の入状態の回数をカウントする動作回数計とからなり、前記操作ロッドの他方側に貫挿され、前記電磁石機構の前記開放側端板に遮断ばね受けにより所定位置に保持された遮断ばねと、前記電磁石機構の前記開放側端板に配置され、前記操作ロッドの移動に連動して開閉する補助接点とを備えたことを特徴とする請求項１に記載の電磁操作装置。
【請求項３】
前記操作ロッドの他方側に挿通されて前記遮断ばね受け面に取り付けられ前記操作ロッドの移動に連動して移動する駆動板と、前記駆動板に連結され前記駆動板の移動に連動して移動する駆動用ロッドと、前記駆動用ロッドに係合され前記補助接点を開閉操作する補助接点レバーと、前記補助接点レバーに連結され前記入切表示器の入切表示を動作させる入切表示器駆動ロッドと、前記入切表示器の入切動作に連動して前記動作回数計を動作させる動作回数計駆動体とを設けたことを特徴とする請求項２に記載の電磁操作装置。
【請求項４】
前記遮断器は三相で構成され、前記各相に対応して前記電磁石機構と、前記操作ロッドと、前記遮断ばねと、前記補助接点と、前記入切表示器と、前記動作回数計とを配置したことを特徴とする請求項２または請求項３に記載の電磁操作装置。
【請求項５】
前記遮断器は単相で構成され、前記遮断器に前記電磁石機構と、前記操作ロッドと、前記遮断ばねと、前記補助接点と、前記入切表示器と、前記動作回数計とを配置したことを特徴とする請求項２または請求項３に記載の電磁操作装置。
【請求項６】
前記遮断器は真空遮断器で構成されたことを特徴とする請求項１に記載の電磁操作装置。
【発明の詳細な説明】
【技術分野】
【０００１】
この発明は、電磁操作装置に係わり、特に、電力設備の送配電および受電設備などに用いられる例えば形真空遮断器が装備された電力開閉装置を電磁力により操作して開閉操作する電磁操作装置に関するものである。
【背景技術】
【０００２】
従来の例えば真空遮断器が装備された電力開閉装置を電磁力により操作して開閉操作する電磁操作装置としては、図９および図１０に示すものがある。図９は正面図であり、図１０は側面図である。【０００３】
図９および図１０において、電磁操作装置は、箱型形状に形成されたケース１０を備えており、ケース１０は正面側に開口１２を有し、ケース１０の正面側には正面カバー（図示省略）が着脱自在に固定されるようになっている。このケース１０内には、電磁石１４を中心としてコンデンサ１６と制御基板１８がそれぞれ別々に独立して配置されており、電磁石１４は、ケース底部側中央にボルト、ナットを用いて固定され、コンデンサ１６と制御基板１８は相対向するケース側面にそれぞれ別々に固定されている。すなわち、コンデンサ１６はケース１０の左側面にボルト、ナットを用いて固定され、制御基板１８は、ケース１０の右側面にスペーサ２０を介してボルト、ナットを用いて固定されている。【０００４】
ケース１０内には二次プラグ２２、ケーブル２４、２６、２８、３０が収納されているとともに、開閉器としての真空バルブ３２の状態を検出する状態検出機構としての補助接点３４、表示板３６、カウンタ３８が収納されている。ケーブル２６は補助接点３４に接続され、ケーブル３０は電磁石１４のコイル４８に接続されている。
【０００５】
制御基板１８は、二次プラグ２２から電力の供給を受けるとともに、デジタル継電器またはアナログ継電器などから投入指令または開極指令（遮断指令）による信号を受け、電磁石１４の駆動を制御するための論理演算を行う制御ロジック部、コンデンサ１６を充放電するための充放電回路、コイル（電磁石コイル）４８の通電方向を制御するためのリレーやリレー接点などが実装されている（図示省略）。さらに、制御基板１８には、コンデンサ１６の充電が完了したことを示す発光ダイオード５０が実装されているとともに、手動操作により、真空遮断器３２に対して投入を指令するための「入」用押しボタン（押しボタンスイッチ）５２、手動操作により、真空バルブ３２に対して開極指令（遮断指令）を出力するための「切」用押しボタン（押しボタンスイッチ）５４が実装されている。
【０００６】
補助接点３４、表示板３６、カウンタ３８は、真空バルブ３２の状態検出機構として、それぞれ電磁石１４の上部側に配置されてプレート５６に連結され、電磁石１４と一体となって構成されている。電磁石１４は、可動鉄心５８、固定鉄心６０、コイル４８、シャフト６２、２枚の可動平板６４、６６、永久磁石６８、筒状に形成された鉄製のカバー７０、７２、鉄製の支持板７４、７６、固定ロッド７８などを備えて構成されており、コイル（電磁石コイル）４８は、支持板７４と支持板７６との間に配置されたコイルボビン４８ａ内に収納され、固定ロッド７８は、ケース１０底部側にボルト、ナットを用いて固定されているとともに、ベース８０に固定されている。
【０００７】
シャフト６２は、電磁石１４の中央部に配置されているとともに、鉛直方向に沿って配置されている。また、シャフト６２は、その上部側がプレート６６の貫通孔８２内に挿入され、下部側が支持板７６の貫通孔８４内に挿入され、昇降および摺動自在に構成されている。このシャフト６２の外周面には可動鉄心５８、可動平板６４、６６がナットを用いて固定され、シャフト６２の下部側にはピン８６を介してシャフト８８が連結されている。【０００８】
さらに、シャフト６２の下部側には支持板９０が連結されており、支持板９０とベース８０との間には、シャフト６２の軸心を中心とした円を描くリング状の遮断ばね９２が装着されている。この遮断ばね９２は、可動鉄心５８を固定鉄心６０から離間させるための弾性力を、支持板９０を介してシャフト６２に付与するようになっている。また、可動鉄心５８の周囲には永久磁石６８が配置されており、永久磁石６８は、取付板７４に固定されている。固定鉄心６０は取付板７６にボルトを用いて固定されている。【０００９】
また、シャフト８８の下部側はピン９４を介して一対のレバー９６に連結されている。レバー９６は、電磁石１４から発生する電磁力に伴う駆動力の伝達方向を変換するリンク機構の一要素として構成されており、シャフト９８を介してレバー１００に連結されている。レバー１００は、ピン１０２を介して連結板１０４に連結されている。【００１０】
連結板１０４は、ベース８０に固定された絶縁架台１１０内に上下動（往復動）自在に挿入されており、連結板１０４の上部側には接圧ばね押え１１２が形成されている。接圧ばね押え１１２には貫通孔が形成されており、この貫通孔内には絶縁ロッド１１４の軸方向端部が挿入されている。接圧ばね押え１１２と絶縁ロッド１４の底部側との間には接圧ばね１２０が装着されている。【００１１】
絶縁ロッド１１４の上部側はフレキシブル導体１２１を介して可動フィーダ１２２に連結されているとともに、真空バルブ３２の可動導体１２４に連結されている。可動導体１２４は、可動接点（図示省略）に連結されており、可動接点に相対向して固定接点（図示省略）が配置されている。この固定接点は、固定導体１２６に連結され、可動接点とともに、絶縁筒１２８内に収納されている。
【００１２】
ここで、制御基板１８に投入指令が入力されると、制御基板１８からの信号によって電磁石１４のコイル（電磁石コイル）４８が通電され、コイル４８の周囲には、可動鉄心５８⇒固定鉄心６０⇒取付板７６⇒カバー７２⇒取付板７４⇒可動鉄心５８を結ぶ経路で磁界が形成され、可動鉄心５８の底部側端面には下向きの吸引力が働き、可動鉄心５８が固定鉄心６０側に移動し、可動鉄心５８が固定鉄心６０に吸着される。このとき、永久磁石６８によって形成される磁界の向きもコイル４８の励磁に伴って発生する磁界の向きと同じになるため、吸引力が高められた状態で可動鉄心５８が固定鉄心６０側に移動する。【００１３】
電磁石１４による投入動作（吸引動作）が行われると、シャフト６２が遮断ばね９２の弾性力に抗して下方に移動し、電磁石１４から発生する電磁力に伴う駆動力がレバー９６に伝達される。この駆動力はシャフト９８、レバー１００を介して連結板１０４に伝達され、可動導体１２４が上昇移動し、可動接点が固定接点と接触し、真空遮断器３２の投入動作が実行される。真空バルブ３２の投入動作において、接圧ばね１２０は、固定接点と可動接点が接触するまで圧縮されないが、固定接点と可動接点とが接触すると圧縮され、その後、投入動作が完了するまで圧縮し続ける。一方、遮断ばね９２は、真空バルブ３２の投入動作中、常に圧縮され続ける。
【００１４】
次に、制御基板１８に開極指令（遮断指令）が入力され、制御板１８からコイル４８に開極指令に伴う信号が出力されると、コイル４８には投入時とは逆方向の電流が流れ、コイル４８の周囲には投入動作時とは逆方向の磁界が形成される。この場合、コイル４８から発生する磁束と永久磁石６８から発生する磁束とが互いに打ち消し合い、可動鉄心５８の軸方向端面（下面）における吸引力は、遮断ばね９２および接圧ばね１２０から発生する弾性力よりも弱くなるため、可動鉄心５８が固定鉄心６０から離間して上方向に移動する。【００１５】
可動鉄心５８の移動に伴ってシャフト６２が上方に移動すると、レバー９６の上方移動に連動して、連結板１０４が下方に移動し、真空バルブ３２の可動接点が固定接点から離間し、固定接点と可動接点との接触が解かれ、真空バルブ３２の開極動作（遮断動作）が行われる。この場合、電磁石１４の投入状態の保持が解除されると、始めに、圧縮されていた接圧ばね１２０が伸長し、接圧ばね押え１１２がワッシャ１１６と接触したときに、真空バルブ３２の固定接点と可動接点との接触が解かれ、真空バルブ３２の遮断動作と電磁石１４の遮断（開放）動作が同時に行われることになる。
【００１６】
真空バルブ３２による投入動作または開極動作（遮断動作）が行われている過程では、真空バルブ３２の投入または遮断状態が補助接点３４、表示板３６、カウンタ３８で検出されるようになっている。
【００１７】
補助接点３４は、軸１４２が一方向に回転したときにａ接点が入り、逆方向に回転したときにはｂ接点が入る構造となっている。この場合、レバー１３８に長穴が形成され、この長孔内にピン１３６を挿入されているため、シャフト６２の上下動に合わせて軸１４２を回転させることができ、軸１４２の回転動作に合わせてａ接点とｂ接点の入り切りができるようになっている。【００１８】
レバー１４０の先端側には、表示板３６が一体となって形成されており、表示板３６の前面側のうち上部側には「切」の文字が付され、下部側には「入」の文字が付されている。「切」の文字は、表示板３６が図１０に示す位置にあるときに、ケース１０の正面側から見えるようになっており、「入」の文字は、表示板３６が図１０に示す位置から上方に移動したときに、ケース１０の正面側から見えるになっている。すなわち、シャフト６２の上下動に合わせてケース１０の正面側から、「切」または「入」の文字が見えるように構成されている。【００１９】
また、表示板３６には、ばね１４８が配置されており、ばね１４８の一端側はレバー１４０の軸方向端部に連結され、他端側はカウンタ３８のカウンタレバー１５０に連結されている。ばね１４８は、レバー１４０の回転に応じて伸縮し、カウンタレバー１５０はピン１５２を中心として回転するようになっており、カウンタレバー１５０が回転する毎に、真空バルブ３２の開閉動作回数が機械的にカウントされるようになっている。
【先行技術文献】
【特許文献】
【００２０】
【特許文献１】特開２００４−１５２６２５号公報
【発明の概要】
【発明が解決しようとする課題】
【００２１】
上述した従来の電磁操作装置においては、ケース１０内に電磁石１４を中心としてコンデンサ１６と制御基板１８がそれぞれ別々に独立して配置されており、電磁石１４は、ケース底部側中央にボルト、ナットを用いて固定されている。そして、補助接点３４、表示板３６、カウンタ３８は、それぞれ電磁石１４の上部側に配置されてプレート５６に連結され、電磁石１４と一体となって構成されている。【００２２】
また、電磁石１４は、可動鉄心５８、固定鉄心６０、コイル４８、シャフト６２などを備えて構成されている。さらに、電磁石１４の下部側、すなわち、シャフト６２の下部側には支持板９０が連結されており、支持板９０とベース８０との間には、シャフト６２の軸心を中心とした円を描くリング状の遮断ばね９２が装着されている。この遮断ばね９２は、可動鉄心５８を固定鉄心６０から離間させるための弾性力を、支持板９０を介してシャフト６２に付与するようになっている。【００２３】
このように、電磁石１４の上部側にプレート５６を介して補助接点３４、表示板３６、カウンタ３８を配置し、電磁石１４の下部側に支持板９０を介して遮断ばね９２が配置された構成となっており、部品点数の増加および上下方向の配置スペースの増大による大型化となるという課題があった。【００２４】
また、三相の真空バルブ３２が三相分、所定間隔を設けて並列に配列されて、三相の真空バルブ３２の軸方向と直交する方向に三相の真空バルブ３２の可動軸を三相一括型して駆動する一本の駆動軸が設けられ、駆動軸に連結された電磁操作装置により一本の駆動軸を回動することにより、三相の真空バルブ３２の各可動軸を一括して駆動し、三相の真空バルブ３２の固定接点と可動接点の開閉を三相一括型として三相同時に真空バルブ３２を開閉する構成となっており、真空バルブ３２と電磁操作装置と一体的な組み立て作業となり作業効率が悪くなるという課題があるとともに、真空バルブ３２の各相毎の開閉状態の調整が困難であった。また、単相遮断器への適用が困難であるという課題があった。
【００２５】
この発明は上記のような課題を解決するためになされたものであり、小型化を図ることができるとともに、単相、三相に対応可能な電磁操作装置を提供することを目的とする。
【課題を解決するための手段】
【００２６】
この発明に係わる電磁操作装置は、遮断器を開閉操作するとともに、相対向して配置された可動鉄心と固定鉄心および電磁力に応じて前記可動鉄心と固定鉄心を離間または接触させる電磁コイルを有し、前記遮断器内に配置された真空バルブと同軸上に配置された電磁石機構と、前記電磁石機構の軸心方向に移動可能に配置されるとともに前記可動鉄心に連結され、一方側が前記遮断器に連結され他方側が前記電磁石機構の開放側端板を貫通して前記電磁石機構の開放側端板外方に伸長する操作ロッドと、前記電磁石機構の前記開放側端板に配置され、前記操作ロッドの移動に連動して前記遮断器の状態を表示する表示部とを備えたものである。
【発明の効果】
【００２７】
この発明の電磁操作装置によれば、小型化を図ることができるとともに、単相、三相に対応可能な電磁操作装置を得ることができる。
【図面の簡単な説明】
【００２８】
【図１】この発明の実施の形態１に係わる電磁操作装置が装備された遮断器を示す側断面図である。
【図２】この発明の実施の形態１に係わる電磁操作装置における入状態を示す側面図である。
【図３】この発明の実施の形態１に係わる電磁操作装置における入状態を示す正面図である。
【図４】この発明の実施の形態１に係わる電磁操作装置における入状態を示す底面図である。
【図５】この発明の実施の形態１に係わる電磁操作装置における切状態を示す側面図である。
【図６】この発明の実施の形態１に係わる電磁操作装置における切状態を示す正面図である。
【図７】この発明の実施の形態１に係わる電磁操作装置の図６のＡ−Ａ線における断面図である。
【図８】この発明の実施の形態１に係わる電磁操作装置における切状態を示す底面図である。
【００２９】
【図９】従来の電磁操作装置が装備された電力開閉装置を示す正面図である。
【図１０】従来の電磁操作装置が装備された電力開閉装置を示す側面図である。
【発明を実施するための形態】
【００３０】
実施の形態１.
以下、この発明の実施の形態１を図１〜図８に基づいて説明する。図１はこの発明の実施の形態１に係わる電磁操作装置が装備された遮断器を示す側断面図である。図２はこの発明の実施の形態１に係わる電磁操作装置における入状態を示す側面図である。図３はこの発明の実施の形態１に係わる電磁操作装置における入状態を示す正面図である。図４はこの発明の実施の形態１に係わる電磁操作装置における入状態を示す底面図である。図５はこの発明の実施の形態１に係わる電磁操作装置における切状態を示す側面図である。図６はこの発明の実施の形態１に係わる電磁操作装置における切状態を示す正面図である。図７はこの発明の実施の形態１に係わる電磁操作装置の図６のＡ−Ａ線における断面図である。図８はこの発明の実施の形態１に係わる電磁操作装置における切状態を示す底面図である。
【００３１】
これら各図において、２０１は軸心方向を例えば水平方向に配置した接地タンクであり、この接地タンク２０１の水平方向の一端である可動側端部には可動側蓋板２０２を介して後述する電磁操作装置３００が配置される。接地タンク２０１は電気的に接地されており、内部に絶縁性ガスが封入され、例えば、絶縁性ガスとして、温暖化係数がほぼ零で地球温暖化防止に有効な乾燥空気や窒素、二酸化炭素といった絶縁性ガスが封入されている。
【００３２】
２０３は接地タンク２０１の水平方向の一端である可動側端部で接地タンク２０１内に配置された可動側絶縁支持物であり、２０４は接地タンク２０１内の水平方向の他端である固定側端部で接地タンク２０１内に配置された固定側絶縁支持物である。２０５は接地タンク２０１内の水平方向の他端である固定側端部に取り付けられた固定側蓋板である。
【００３３】
２０６は接地タンク２０１内に配置された真空バルブであり、固定側通電軸２０７に設けられた固定側電極２０８と固定側通電軸２０７と同軸上に配置された可動側通電軸２０９に設けられた可動側電極２１０とが接離可能に構成されている。２１１は真空バルブ２０６の可動側通電軸２０９に連結された絶縁ロッドである。
【００３４】
２１２は可動側変流器ユニットであり、電流を測定するための可動側変流器２１３が具備されている。２１４は固定側変流器ユニットであり、電流を測定するための固定側変流器２１５が具備されている。
【００３５】
２１６は可動側ブッシング碍管であり、一方側が可動側変流器ユニット２１２の上部に取り付けられ、他方側に可動側主回路端子２１７が取り付けられている。２１８は固定側ブッシング碍管であり、一方側が固定側変流器ユニット２１４の上部に取り付けられ、他方側に固定側主回路端子２１９が取り付けられている。
【００３６】
２２０は可動側主回路導体であり、可動側ブッシング碍管２１６と可動側変流器ユニット２１２内に挿通され、一方側が真空バルブ２０６の可動側導体部に接続されるとともに他方側が可動側ブッシング碍管２１６の他方側に設けられた可動側主回路端子２１７に接続される。２２１は固定側主回路導体であり、固定側ブッシング碍管２１８と固定側変流器ユニット２１４内に挿通され、一方側が真空バルブ２０６の固定側導体部に接続されるとともに他方側が固定側ブッシング碍管２１８の他方側に設けられた固定側主回路端子２１９に接続される。
【００３７】
２２２は可動側絶縁物であり、可動側主回路導体２２０の周囲に設けられている。２２３は固定側絶縁物であり、固定側主回路導体２２１の周囲に設けられている。
【００３８】
２２４は可動側接地シールドであり、可動側絶縁物２２２内に長手方向に配置され、可動側接地シールド２２４の下方側端部は可動側変流器ユニット２１２の下端より下方向に伸長するとともに、可動側接地シールド２２４の上方側端部は可動側変流器ユニット２１２の上端より上方向に伸長して設けられている。２２５は固定側接地シールドであり、固定側絶縁物２２３内に長手方向に配置され、固定側接地シールド２２５の下方側端部は固定側変流器ユニット２１４の下端より下方向に伸長するとともに、固定側接地シールド２２５の上方側端部は固定側変流器ユニット２１４の上端より上方向に伸長して設けられている。
【００３９】
２２６は可動側接地シールド２２４の下方側端部および上方側端部にそれぞれ設けた可動側電界緩和リングである。２２７は固定側接地シールド２２５の下方側端部および上方側端部にそれぞれ設けた固定側電界緩和リングである。
【００４０】
３００は接地タンク２０１の水平方向の一端である可動側端部に可動側蓋板２０２を介して配置される電磁操作装置であり、操作箱３０１内に収容されている。電磁操作装置３００は絶縁ロッド２１１と同軸上に連結される。
【００４１】
電磁操作装置３００は、電磁石機構３０２とこの電磁石機構３０２の開放側端板３０３に取り付けられる遮断ばね３０４、補助接点３０５、入切表示器３０６、動作回数計３０７により基本的に構成される。
【００４２】
電磁石機構３０２は、可動鉄心３０８、固定鉄心３０９、電磁コイル３１０、操作ロッド３１１などを備えて構成されている。操作ロッド３１１は可動鉄心３０８の軸中心部に配置されるとともに絶縁ロッド２１１と同軸上に配置され、操作ロッド３１１の一方側３１１ａは絶縁ロッド２１１と同軸上に連結され、操作ロッド３１１の他方側３１１ｂは電磁石機構３０２の開放側端板３０３より開放側に伸長して配置されている。なお、操作ロッド３１１の一方側３１１ａの先端部には雄ねじを加工し、雌ねじを加工した相手側軸２３０と着脱可能に係合されている。
【００４３】
遮断ばね３０４は、電磁石機構３０２の開放側端板３０３より開放側に伸長して配置された操作ロッド３１１の他方側３１１ｂに挿通されて遮断ばね受け３１２により受け止められ、ナット３１３と遮断ばね受け３１２とにより所定位置に係止されている。
【００４４】
補助接点３０５は、電磁石機構３０２の開放側端板３０３に例えば支持板３１４を介して取り付けられている。なお、補助接点３０５は直接電磁石機構３０２の開放側端板３０３に取り付けるようにしてもよい。
【００４５】
入切表示器３０６は、例えば補助接点３０５の近傍に支持板３１５を介して取り付けられており、入切表示器回動軸３０６ａにより回動して入切状態を表示するように構成されている。なお、入切表示器３０６は直接電磁石機構３０２の開放側端板３０３に取り付けるようにしてもよい。
【００４６】
動作回数計３０７は、例えば補助接点３０５と入切表示器３０６の近傍に配置されている。そして、動作回数計３０７と入切表示器３０６に連結された動作回数計駆動体３１６が設けられている。この動作回数計駆動体３１６は例えば入切表示器３０６の入切動作に伴う衝撃が動作回数計３０７に伝わるのを抑制するためばね構造体で構成されている。入切表示器３０６の入切動作に連動して動作回数計駆動体３１６により動作回数計３０７が動作されてカウントされるようになっている。
【００４７】
駆動板３１７の一方側３１７ａが操作ロッド３１１の他方側３１１ｂに挿通されてナット３１３により遮断ばね受け３１２面に取り付けられ、駆動板３１７の他方側３１７ｂが駆動用ロッド３１８に連結されている。
【００４８】
補助接点３０５の入切動作は、駆動用ロッド３１８に係合され、その駆動用ロッド３１８により補助接点回転軸３１９を中心に回転する補助接点レバー３２０により行われるようになっている。なお、駆動用ロッド３１８と補助接点レバー３２０とは接続プレート３２２により接続されて係合されている。
【００４９】
入切表示器３０６の入切表示動作は、入切表示器駆動ロッド３２１により行われ、一方側３２１ａが入切表示器３０６に連結され、他方側３２１ｂが補助接点レバー３２０に連結されている。そして、入切表示器３０６の入切動作に連動して動作回数計駆動体３１６により動作回数計３０７が動作されてカウントされる。
【００５０】
次に動作について説明する。図１〜図４は電磁操作装置３００の電磁石機構３０２により真空バルブ２０６が投入され、可動側電極２１０と固定側電極２０８とが閉路状態であり通電されている状態を示している。
【００５１】
すなわち、電磁石機構３０２の電磁コイル３１０の吸引側への励磁により、可動鉄心３０８が固定鉄心３０９側に吸引されて可動側電極２１０と固定側電極２０８とを閉路する方向に移動し、可動鉄心３０８の移動とともに電磁操作ロッド３１１も可動側電極２１０と固定側電極２０８とを閉路する方向に移動する。
【００５２】
操作ロッド３１１が可動側電極２１０と固定側電極２０８とを閉路する方向に移動することにより、電磁石機構３０２の開放側端板３０３より開放側に伸長して配置されている操作ロッド３１１の他方側３１１ｂに挿通された遮断ばね３０４が操作ロッド３１１と連動して同方向に移動する遮断ばね受け３１２により図２に示すように圧縮される。
【００５３】
遮断ばね受け３１２が移動することによりその遮断ばね受け３１２に取り付けられた駆動板３１７の他方側３１７ｂと連結された駆動用ロッド３１８も同方向に移動する。この駆動用ロッド３１８の移動により、駆動用ロッド３１８に係合された補助接点レバー３２０が補助接点回転軸３１９を中心に例えば時計方向に回転する。補助接点レバー３２０が図２に示す位置に回転すると、補助接点３０５が入状態の接点状態となり、その入状態の接点状態が電気信号にて出力される。
【００５４】
補助接点レバー３２０が補助接点回転軸３１９を中心に時計方向に回転すると、補助接点レバー３２０に連結されている入切表示器駆動ロッド３２１が上方側に押し上げられ、入切表示器駆動ロッド３２１の一方側３２１ａにより入切表示器３０６の入切表示動作が行われ、図３に示すように、入切表示器回動軸３０６ａが回動して入状態が表示され目視で確認できるようになっている。
【００５５】
入切表示器３０６により入状態が表示されると同時に、動作回数計３０７と入切表示器３０６に連結された動作回数計駆動体３１６により、入切表示器３０６の入状態の表示に連動して動作回数計３０７が動作されて真空バルブ２０６の投入回数がカウントされて表示される。
【００５６】
次に、図５〜図８は電磁操作装置３００の電磁石機構３０２により真空バルブ２０６が遮断され、可動側電極２１０と固定側電極２０８とが開路状態であり通電されていない状態を示している。
【００５７】
すなわち、電磁石機構３０２の電磁コイル３１０の離間側への励磁により、可動鉄心３０８が固定鉄心３０９側から離間されて可動側電極２１０と固定側電極２０８とを開路する方向に移動し、可動鉄心３０８の移動とともに操作ロッド３１１も可動側電極２１０と固定側電極２０８とを開路する方向に移動する。
【００５８】
操作ロッド３１１が可動側電極２１０と固定側電極２０８とを開路する方向に移動することにより、電磁石機構３０２の開放側端板３０３より開放側に伸長して配置されている操作ロッド３１１の他方側３１１ｂに挿通された遮断ばね３０４が電磁操作ロッド３１１と連動して同方向に移動する遮断ばね受け３１２により圧縮状態が図５に示すように開放される。
【００５９】
遮断ばね受け３１２が移動することによりその遮断ばね受け３１２に取り付けられた駆動板３１７の他方側３１７ｂと連結された駆動用ロッド３１８も同方向に移動する。この駆動用ロッド３１８の移動により、駆動用ロッド３１８に係合された補助接点レバー３２０が補助接点回転軸３１９を中心に例えば反時計方向に回転する。補助接点レバー３２０が図５に示す位置に回転すると、補助接点３０５が切状態の接点状態となり、その切状態の接点状態が電気信号にて出力される。
【００６０】
補助接点レバー３２０が補助接点回転軸３１９を中心に反時計方向に回転すると、補助接点レバー３２０に連結されている入切表示器駆動ロッド３２１が下方側に押し下げられ、入切表示器駆動ロッド３２１の一方側３２１ａにより入切表示器３０６の入切表示動作が行われ、図６に示すように、入切表示器回動軸３０６ａが逆方向に回動して切状態が表示され目視で確認できるようになっている。
【００６１】
入切表示器３０６により切状態が表示されると同時に、動作回数計３０７と入切表示器３０６に連結された動作回数計駆動体３１６により、入切表示器３０６の切状態の表示に連動して動作回数計３０７の次動作の待機状態となる。
【００６２】
さらに、真空バルブ２０６の開路状態から閉路状態への移行、すなわち、真空バルブ２０６の投入指令が出力されると、電磁石機構３０２の電磁コイル３１０の吸引側への励磁により、可動鉄心３０８が固定鉄心３０９側に吸引されて可動側電極２１０と固定側電極２０８とを閉路する方向に移動し、可動鉄心３０８の移動とともに操作ロッド３１１も可動側電極２１０と固定側電極２０８とを閉路する方向に移動する。
【００６３】
操作ロッド３１１が可動側電極２１０と固定側電極２０８とを閉路する方向に移動することにより、電磁石機構３０２の開放側端板３０３より開放側に伸長して配置されている操作ロッド３１１の他方側３１１ｂに挿通された遮断ばね３０４が電磁操作ロッド３１１と連動して同方向に移動する遮断ばね受け３１２により図２に示すように圧縮される。
【００６４】
遮断ばね受け３１２が移動することによりその遮断ばね受け３１２に取り付けられた駆動板３１７の他方側３１７ｂと連結された駆動用ロッド３１８も同方向に移動する。この駆動用ロッド３１８の移動により、駆動用ロッド３１８に接続プレート３２２を介して係合された補助接点レバー３２０が補助接点回転軸３１９を中心に例えば時計方向に回転する。補助接点レバー３２０が図２に示す位置に回転すると、補助接点３０５が入状態の接点状態となり、その入状態の接点状態が電気信号にて出力される。
【００６５】
補助接点レバー３２０が補助接点回転軸３１９を中心に時計方向に回転すると、補助接点レバー３２０に連結されている入切表示器駆動ロッド３２１が上方側に押し上げられ、入切表示器駆動ロッド３２１の一方側３２１ａにより入切表示器３０６の入切表示動作が行われ、図３に示すように、入切表示器回動軸３０６ａが回動して入状態が表示され目視で確認できるようになっている。
【００６６】
入切表示器３０６により入状態が表示されると同時に、動作回数計３０７と入切表示器３０６に連結された動作回数計駆動体３１６により、入切表示器３０６の入状態の表示に連動して動作回数計３０７が動作されて真空バルブ２０６の投入回数がカウントされて表示される。
【００６７】
以上のような動作が繰り返し行われることにより、真空バルブ２０６の投入状態が補助接点３０５により電気信号にて出力されるともに、入切表示器３０６により表示される。また、真空バルブ２０６の投入回数が動作回数計３０７によりカウントされて表示される。
【００６８】
上述した実施の形態１によれば、電磁操作装置３００は各相の真空バルブ２０６にそれぞれ対応して設けられており、そして、電磁石機構３０２の開放側端板３０３に補助接点３０５、入切表示器３０６、動作回数計３０７だけでなく、遮断ばね３０４も取り付けたことにより、取付板部材の共用化が図れ部品数の削減を図ることができる。
【００６９】
また、真空バルブ２０６と電磁石機構３０２の開放側端板３０３に補助接点３０５、入切表示器３０６、動作回数計３０７および遮断ばね３０４は各相で独立した単層構成としており、各相のユニット毎で組立・調整作業を行うことができ、作業性に優れたものとなり、生産性が向上し低コスト化を図ることができる。また、真空バルブ２０６とは別工程で製作することができ、しかも、遮断ばね３０４の調整が各相で独立して簡単に行うことができ、製作工程の簡素化も図ることができる。
【００７０】
さらに、真空バルブ２０６と電磁石機構３０２の開放側端板３０３に補助接点３０５、入切表示器３０６、動作回数計３０７および遮断ばね３０４を各相で独立した単層構成としたことにより、三相の真空バルブ２０６への適用だけではなく、単相遮断器へも容易に適用することができる。
【００７１】
また、各相毎に補助接点を設けることが可能であり，欠相判別回路用補助接点の構成が容易である。
【００７２】
ところで、上述した実施の形態１においては、電力設備の送配電および受電設備などに用いられる例えばタンク形真空遮断器が装備された電力開閉装置に電磁操作装置を適用した場合について述べたが、これに限定されるものではなく、その他の遮断器にもこの実施の形態１における電磁操作装置を適用し得ることは勿論のことであり、上述した実施の形態１と同様の効果を奏する。
【産業上の利用可能性】
【００７３】
この発明は、小型化を図ることができるとともに、単相、三相に対応可能な電磁操作装置の実現に好適である。
【図１】
0005579323.tif 000002
【図２】
0005579323.tif 000003
【図３】
0005579323.tif 000004
【図４】
0005579323.tif 000005
【図５】
0005579323.tif 000006
【図６】
0005579323.tif 000007
【図７】
0005579323.tif 000008
【図８】
0005579323.tif 000009
【図９】
0005579323.tif 000010
【図１０】
0005579323.tif 000011